(57)【要約】【課題】電池パックの防水機能を損なわずに、内部圧力の上昇を抑制することが可能な携帯端末装置を提供する。【解決手段】電池パック４と、電池パック４を収容可能な凹部１２を有する本体１と、凹部１２を覆う電池カバー２と、電池カバー２の本体１に対向する面に設けられ、凹部１２の周囲を、該周囲の一部を除いて連続して枠状に囲み、本体１に密着した第１のシール部材２１と、電池カバー２に設けられ、周囲の一部から第１のシール部材２１の内側に入り込んだ第１の位置と、電池カバー２からはみ出た第２の位置との間を移動し、第２の位置で電池カバー２を本体１に固定させるロック機構３と、ロック機構３に取り付けられ、ロック機構３が第２の位置に移動したときに、周囲の一部で第１のシール部材２１と連続し、本体１に密着する第２のシール部材３１と、を有する。【選択図】  図３
2012142212.tif 000002
【特許請求の範囲】
【請求項１】
電池パックと、
前記電池パックを収容可能な凹部を有する本体と、
前記凹部を覆う電池カバーと、
前記電池カバーの前記本体に対向する面に設けられ、前記凹部の周囲を、該周囲の一部を除いて連続して枠状に囲み、前記本体に密着した第１のシール部材と、
前記電池カバーに設けられ、前記周囲の一部から前記第１のシール部材の内側に入り込んだ第１の位置と、前記電池カバーからはみ出た第２の位置との間を移動し、前記第２の位置で前記電池カバーを前記本体に固定させるロック機構と、
前記ロック機構に取り付けられ、前記ロック機構が前記第２の位置に移動したときに、前記周囲の一部で前記第１のシール部材と連続し、前記本体に密着する第２のシール部材と、
を有する、携帯端末装置。
【請求項２】
電池パックと、
前記電池パックを収容可能な凹部を有する本体と、
前記凹部を覆う電池カバーと、
前記電池カバーの前記本体に対向する面に設けられ、前記凹部の周囲を連続して枠状に囲み、前記本体に密着したシール部材と、
前記電池カバーに設けられ、前記シール部材の一部を押しつぶして前記シール部材の内側に入り込んだ第１の位置と、前記電池カバーからはみ出た第２の位置との間を移動し、前記第２の位置で前記電池カバーを前記本体に固定させるロック機構と、を有し、
前記シール部材の前記一部は、前記シール部材が前記第２の位置に移動した後、弾性変形して前記本体に密着する、携帯端末装置。
【請求項３】
前記ロック機構は、前記第２の位置で前記電池カバーからはみ出る爪部と、前記爪部を前記第１の位置から前記第２の位置までスライド可能に前記電池カバーに連結するスライダーと、を有する、請求項１または２に記載の携帯端末装置。
【発明の詳細な説明】
【技術分野】
【０００１】
本発明は、携帯電話に代表される携帯端末装置に関する。
【背景技術】
【０００２】
携帯電話に代表される携帯端末装置は、一般的に、本体に収容された電池パックと、その電池パックを覆い、本体に固定するためのロック機構を備えた電池カバーと、を有している（特許文献１参照）。
【０００３】
図９は、本発明に関連する携帯端末装置１００の外観図である。図９（ａ）は、正面図であり、図９（ｂ）は、背面図である。
【０００４】
携帯端末装置１００の正面には、図９（ａ）に示すように、キーシート１１１が本体１０１に貼り付けられている。一方、携帯端末装置１００の背面には、電池パック（不図示）を覆う電池カバー１０２が本体１０１に装着されている。
【０００５】
図１０は、電池カバー１０２の構成を示す図である。図１０では、電池カバー１０２を、本体１０１と対向する内面から見た図を示している。図１０（ａ）は、電池カバー１０２が本体１０１に固定される前の状態を示す。図１０（ｂ）は、電池カバー１０２が本体１０１に固定された状態を示す。
【０００６】
電池カバー１０２は、爪部２３０を本体１０１に引っ掛けるようにして、本体１０１に装着される。このとき、パッキン２１０によって、本体１０１に収容された電池パックが密閉される。そして、ロック機構１０３において、つまみ１１３を掴んで爪部２４０をスライダー２２０に沿ってスライド移動させることによって、爪部２４０が電池カバー１０２からはみ出ると（図１０（ｂ）参照）、電池カバー１０２が、本体１０１に固定される。これにより、電池カバー２が本体１０１から脱落することを防止できるとともに、電池パックを防水できる。
【０００７】
上記のように構成された携帯端末装置１００の背面において、電池カバー１０２が占める面積は比較的大きい。そのため、電池カバー１０２を本体１０１に装着する際、多くの外気が本体１０１の内部に取り込まれてしまう。そして、外気が多く取り込まれた状態のまま電池カバー１０２は本体１０１に固定される。そのため、本体１０１内の圧力上昇により様々な不具合（例えば、キーシート１１１が膨らむ不具合）の発生が懸念される。そこで、携帯端末装置１００には、通気性を備えた防水シートを介して外部と連通する空気孔１１２が形成されている（図９（ａ）参照）。これにより、本体１０１内の圧力上昇を抑えるとともに、電池パックの防水機能を維持することが可能となる。
【先行技術文献】
【特許文献】
【０００８】
【特許文献１】特開２００４−５６１６４号公報
【発明の概要】
【発明が解決しようとする課題】
【０００９】
しかしながら、上述した携帯端末装置１００では、時間の経過に伴い防水シートに異物（例えば、埃）が付着して空気の透過率が劣化した場合、電池カバー１０２を装着する際に本体１０１内に取り込まれた空気が溜まりやすくなる。その結果、本体１０１内の圧力が上昇しやすくなり不具合が生じやすくなる。時間の経過に伴う空気の透過率の劣化を防ぐため防水シートを除去すると、電池パックの防水機能が損なわれてしまう。
【００１０】
そこで、本発明は、電池パックの防水機能を損なわずに、内部圧力の上昇を抑制することが可能な携帯端末装置を提供することを目的とする。
【課題を解決するための手段】
【００１１】
上記目的を達成するため、本発明の携帯端末装置は、電池パックと、前記電池パックを収容可能な凹部を有する本体と、前記凹部を覆う電池カバーと、前記電池カバーの前記本体に対向する面に設けられ、前記凹部の周囲を、該周囲の一部を除いて連続して枠状に囲み、前記本体に密着した第１のシール部材と、前記電池カバーに設けられ、前記周囲の一部から前記第１のシール部材の内側に入り込んだ第１の位置と、前記電池カバーからはみ出た第２の位置との間を移動し、前記第２の位置で前記電池カバーを前記本体に固定させるロック機構と、前記ロック機構に取り付けられ、前記ロック機構が前記第２の位置に移動したときに、前記周囲の一部で前記第１のシール部材と連続し、前記本体に密着する第２のシール部材と、を有する。
【００１２】
また、上記目的を達しするため、本発明の他の携帯端末装置は、電池パックと、前記電池パックを収容可能な凹部を有する本体と、前記凹部を覆う電池カバーと、前記電池カバーの前記本体に対向する面に設けられ、前記凹部の周囲を連続して枠状に囲み、前記本体に密着したシール部材と、前記電池カバーに設けられ、前記シール部材の一部を押しつぶして前記シール部材の内側に入り込んだ第１の位置と、前記電池カバーからはみ出た第２の位置との間を移動し、前記第２の位置で前記電池カバーを前記本体に固定させるロック機構と、を有し、前記シール部材の前記一部は、前記シール部材が前記第２の位置に移動した後、弾性変形して前記本体に密着する。
【発明の効果】
【００１３】
本発明によれば、ロック機構が第１の位置に移動しているときは、本体の凹部の内部が密閉されていないので、電池カバーを本体に装着するときに凹部内に取りこまれた外気を逃がすことが可能になる。そのため、内部圧力の上昇を抑制することが可能となる。また、ロック機構が第２の位置に移動しているときは、凹部の内部空間がシール部材によって密閉されるので電池パックの防水機能を確保することが可能となる。したがって、防水機能を損なわずに内部圧力の上昇を抑制することが可能となる。
【図面の簡単な説明】
【００１４】
【図１】本発明の実施形態１の携帯通信端末装置の正面図である。
【図２】図１に示す携帯通信端末装置の背面図である。
【図３】図１に示す携帯端末装置の電池カバーの構成を示す図である。
【図４】図３に記載の切断線Ａ−Ａに沿った断面図である。
【図５】図３に記載の切断線Ｂ−Ｂに沿った断面図である。
【図６】本発明の実施形態２の携帯通信端末装置の電池カバーの構成を示す図である。
【図７】図６に記載の切断線Ａ−Ａに沿った断面図である。
【図８】図６に記載の切断線Ｂ−Ｂに沿った断面図である。
【図９】本発明に関連する携帯端末装置の外観図である。
【図１０】図９に示す携帯端末装置の電池カバーの構成を示す図である。
【発明を実施するための形態】
【００１５】
（実施形態１）
図１は、本発明の実施形態１の携帯通信端末装置の正面図である。また、図２は、図１に示す携帯通信端末装置の背面図である。
【００１６】
本実施形態の携帯通信端末１０の正面には、図１に示すように、携帯通信端末１０を操作するためのキーシート１１が本体１に貼り付けられている。キーシート１１は、粘着テープや接着剤等で本体１０１に固定されている。一方、本実施形態の携帯端末装置１０の背面には、図２に示すように、ロック機構３が設けられた電池カバー２が本体１に装着されている。図２（ａ）は、電池カバー２が本体１に固定される前の状態を示し、図２（ｂ）は、電池カバー２が本体１に固定された状態を示す。ロック機構３は、つまみ３０を有し、ユーザがつまみ３０を操作することによって、電池カバー２を本体１に固定させたり、固定を解除したりすることが可能となる。
【００１７】
図３は、電池カバー２の構成を示す図である。図３では、電池カバー２を、本体１と対向する内面から見た図を示している。図３（ａ）は、図２（ａ）に対応し、電池カバー２が本体１に固定される前の状態を示す。図３（ｂ）は、図２（ｂ）に対応し、電池カバー２が本体１に固定された状態を示す。
【００１８】
電池カバー２の一端には、爪部２３が設けられている。また、電池カバー２の内面には、シール部材（第１のシール部材）２１が粘着テープまたは接着剤により接着されている。シール部材２１は、ロック機構３に対向する部分を除いて連続した枠状のパッキンである。
【００１９】
ロック機構３は、爪部２４と、爪部２４をスライド可能に電池カバー２の内面に連結するスライダー２２と、爪部２４に取り付けられ、電池カバー２の外面側に突出したつまみ３０と、を有する。爪部２４は、スライダー２２に沿って、シール部材２１の内側に入り込んだ第１の位置（図３（ａ）参照）と、電池カバー２の他端（爪部２３が設けられている端部と反対側の端部）からはみ出た第２の位置との間をスライド移動する。爪部２４には、シール部材３１（第２のシール部材）が取り付けられている。シール部材３１は、パッキンである。
【００２０】
次に、電池カバー２を本体１に装着する際の各部の動作内容について説明する。図４（ａ）は、図３（ａ）に示す切断線Ａ−Ａに沿った断面図であり、図４（ｂ）は、図３（ｂ）に示す切断線Ａ−Ａに沿った断面図である。また、図５（ａ）は、図３（ａ）に示す切断線Ｂ−Ｂに沿った断面図であり、図５（ｂ）は、図３（ｂ）に示す切断線Ｂ−Ｂに沿った断面図である。なお、図４、図５では、説明をわかりやすくするために、本体１も記載している。
【００２１】
本体１には、図４（ａ）に示すように、電池パック４を収容するための凹部１２と、電池カバー２の爪部２３が嵌合される切り欠き１３と、ロック機構３の爪部２４が嵌合される切り欠き１４とが形成されている。また、電池カバー２において、シール部材２は、凹部１２の周囲を、その周囲の一部を除いて連続して枠状に囲んでいる。
【００２２】
電池カバー２を本体１に装着する際、まず、電池カバー２の爪部２３を切り欠き１３に嵌合させる（図４（ａ）参照）。このとき、シール部材２１が、本体２に密着しているが、凹部１２の周囲のうち、シール部材２１に囲まれていない部分には、間隙１６が形成されている（図５（ａ）参照）。そのため、電池カバー２を本体１に装着する際に本体１の凹部１２の内部に取り込まれた外気が間隙１６を通じて外部へ逃げる。
【００２３】
次に、つまみ３１を掴んで爪部２４をスライダー２２に沿ってスライド移動させることによって、電池カバー２からはみ出た爪部２４が本体１の切り欠き１４に嵌合すると、電池カバー２は本体１に固定される。爪部２４のスライド移動に伴い、シール部材３１がシール部材２１に囲まれていない部分に移動して、シール部材３１とシール部材２１とが連続する。これにより凹部２１の内部が密閉されるので電池パック４を防水できる。
【００２４】
上述したように、本実施形態によれば、爪部２４がシール部材２１の内部に入り込んだ第１の位置に移動しているときは、本体１の凹部１２の内部が密閉されていないので、電池カバー２を本体１に装着するときに凹部１２内に取りこまれた外気を逃がすことが可能になる。そのため、内部圧力の上昇を抑制することが可能となる。また、爪部２４が、電池カバー２からはみ出た第２の位置に移動しているときは、凹部１２の内部がシール部材３１によって密閉されるので電池パックの防水機能を確保することが可能となる。したがって、防水機能を損なわずに内部圧力の上昇を抑制することが可能となる。
【００２５】
（実施形態２）
本発明の実施形態２の携帯端末装置について説明する。実施形態１の携帯端末装置１０では、電池カバー２の内面に形成されたシール部材２１と、爪部２４に取り付けられたシール部材３１とで本体１の凹部１２の周囲全体を連続して枠状に囲む構成であった。一方、本実施形態の携帯端末装置では、シール部材２１が本体１の凹部１２の周囲全体を連続して枠状に囲み、シール部材３１は設けられていない構成となっている。
【００２６】
図６は、本実施形態の携帯端末の電池カバーの構成を示す図である。図６では、電池カバー２を、本体１と対向する内面から見た図を示している。図６（ａ）は、電池カバー２が本体１に固定される前の状態を示す。図６（ｂ）は、電池カバー２が本体１に固定された状態を示す。
【００２７】
図６に示す電池カバー２では、シール部材２１がロック機構３に対向する部分も含めて連続した枠状のパッキンである。また、爪部２４に、シール部材３１は設けられていない。以下、電池カバー２を本体１に装着する際の各部の動作内容について説明する。図７（ａ）は、図６（ａ）に示す切断線Ａ−Ａに沿った断面図であり、図７（ｂ）は、図６（ｂ）に示す切断線Ａ−Ａに沿った断面図である。また、図８（ａ）は、図６（ａ）に示す切断線Ｂ−Ｂに沿った断面図であり、図８（ｂ）は、図６（ｂ）に示す切断線Ｂ−Ｂに沿った断面図である。なお、図７、図８では、説明をわかりやすくするために、本体１も記載している。
【００２８】
電池カバー２を本体１に装着する際、まず、電池カバー２の爪部２３を切り欠き１３に嵌合させる（図７（ａ）参照）。このとき、シール部材２１の一部が爪部２４によって押しつぶされて歪むことによって、間隙１７が形成されている（図８（ａ）参照）。そのため、電池カバー２を本体１に装着する際に本体１の凹部１２の内部に取り込まれた外気が間隙１７を通じて外部へ逃げる。
【００２９】
次に、つまみ３１を掴んで爪部２４をスライダー２２に沿ってスライド移動させることによって、電池カバー２からはみ出た爪部２４が本体１の切り欠き１４に嵌合すると、電池カバー２は本体１に固定される。爪部２４のスライド移動に伴い、爪部２４に押しつぶされていたシール部材２１の一部が弾性変形する。これにより凹部２１の内部が密閉されるので電池パック４を防水できる。
【００３０】
上述したように、本実施形態の携帯端末装置によれば、実施形態１の携帯端末装置に比べ簡易な構成で、防水機能を損なわずに内部圧力の上昇を抑制することが可能となる。
【符号の説明】
【００３１】
１、１０１  本体
２、１０２  電池カバー
３、１０３  ロック機構
４  電池パック
１０、１００  携帯端末装置
１１、１１１  キーシート
１２  凹部
１３、１４  切り欠き
２１、３１  シール部材
２２、２２０  スライダー
２３、２４、２３０、２４０  爪部
３０、１１３  つまみ
１１２  空気孔
２１０  パッキン
【図１】
2012142212.tif 000003
【図２】
2012142212.tif 000004
【図３】
2012142212.tif 000005
【図４】
2012142212.tif 000006
【図５】
2012142212.tif 000007
【図６】
2012142212.tif 000008
【図７】
2012142212.tif 000009
【図８】
2012142212.tif 000010
【図９】
2012142212.tif 000011
【図１０】
2012142212.tif 000012